(57)【特許請求の範囲】
【請求項１】
機器の点検作業時に、補助的に当該機器の作業場所を確保するための作業用補助具であって、
前記機器の作業場所の所定範囲を覆うシートと、
前記シートの一辺を支持する第１及び第２の支持部材と、
前記第１の支持部材に一端が係止され、伸縮かつ可撓性を有し、他端が地面に設置されて前記シートの一方の側端部を支持する第１の伸縮支持部材と、
前記第２の支持部材に一端が係止され、伸縮かつ可撓性を有し、他端が地面に設置されて前記シートの他方の側端部を支持する第２の伸縮支持部材と、
前記第１及び第２の伸縮支持部材を収納する収納箱とを備え、
前記第１及び第２の伸縮支持部材は、
前記収納箱の所定位置に一端が回転自在に取り付けられ、他端が前記収納箱から出し入れされる回転腕部と、
前記回転腕部の先端に回転自在に取付けられた姿勢維持部材と、
前記姿勢維持部材に取り付けられ、伸縮かつ可撓性を有した、一列の格子形状の伸縮部材とを有し、
前記姿勢維持部材は、
前記伸縮部材の姿勢を一定に維持しながら、前記回転腕部の回転と共に回転することを特徴とする作業用補助具。
【請求項２】
機器の点検作業時に、補助的に当該機器の作業場所を確保するための作業用補助具であって、
前記機器の作業場所の所定範囲を覆うシートと、
前記シートの一辺を支持する第１及び第２の支持部材と、
前記第１の支持部材に一端が係止され、伸縮かつ可撓性を有し、他端が地面に設置されて前記シートの一方の側端部を支持する第１の伸縮支持部材と、
前記第２の支持部材に一端が係止され、伸縮かつ可撓性を有し、他端が地面に設置されて前記シートの他方の側端部を支持する第２の伸縮支持部材と、
前記第１及び第２の伸縮支持部材を収納する収納箱とを備え、
前記第１及び第２の伸縮支持部材は、
前記収納箱の所定位置に滑動自在に取り付けられ、一端が前記収納箱から出し入れされる滑動腕部と、
前記滑動腕部に滑動自在に取付けられた位置変更部材と、
前記位置変更部材に取り付けられ、伸縮かつ可撓性を有した、一列の格子形状の伸縮部材とを有し、
前記位置変更部材は、
前記滑動腕部が滑動すると共に所定方向に滑動して前記伸縮部材の位置を変更することを特徴とする作業用補助具。
【請求項３】
前記伸縮部材は、ロック機構を備え、
前記ロック機構は、
当該伸縮部材の所定位置に回転自在に取り付けられた棒部材と、
前記棒部材を受け止めて固定する受止め部とを備え、
前記棒部材が回転されて前記受止め部の所定位置に設定され、前記伸縮部材を所定の格子形状に固定すると共に、当該伸縮部材の長さを維持することを特徴とする請求項１または２に記載の作業用補助具。
【請求項４】
少なくとも二個の引掛け部を有した機器の点検作業時に、補助的に当該機器の作業場所を確保するための作業用補助具であって、
前記機器の作業場所の所定範囲を覆うシートと、
前記機器の引っ掛部に一端が係止され、伸縮かつ可撓性を有し、他端が地面に設置されて前記シートの一方の側端部を支持する第１の伸縮支持部材と、
前記第１の伸縮支持部材が係止された前記引っ掛部とは異なる引っ掛部に一端が係止され、伸縮かつ可撓性を有し、他端が地面に設置されて前記シートの他方の側端部を支持する第２の伸縮支持部材と、
前記第１及び第２の伸縮支持部材を収納する収納箱とを備え、
前記第１及び第２の伸縮支持部材は、
前記収納箱の所定位置に一端が回転自在に取り付けられ、他端が前記収納箱から出し入れされる回転腕部と、
前記回転腕部の先端に回転自在に取付けられた姿勢維持部材と、
前記姿勢維持部材に取り付けられ、伸縮かつ可撓性を有した、一列の格子形状の伸縮部材とを有し、
前記姿勢維持部材は、
前記伸縮部材の姿勢を一定に維持しながら、前記回転腕部の回転と共に回転することを特徴とする作業用補助具。
【発明の詳細な説明】
【技術分野】
【０００１】
本発明は、遮断器や断路器、スイッチギアなどの機器の点検作業時に、補助的に当該機器の作業場所を確保するテントに適用可能な作業用補助具に関する。詳しくは、伸縮かつ可撓性を有した第１及び第２の伸縮支持部材を備え、機器の作業場所の所定範囲を覆うシートの両側端部を支持することで、撓んだ伸縮支持部材によりシートを凸状に形成できるようにすると共に、当該シートを支持する骨組みを容易に組み立てることができるようにしたものである。
【背景技術】
【０００２】
従来、電気の監視・制御を行うスイッチギア（ＳＷＧ）などの機器を点検作業する際に雨が降ると、ビニールシートなどにより当該スイッチギアの作業範囲を覆って当該ビニールシートをテント（第１のテント）の屋根として使用し、雨水がスイッチギアの電子機器に浸入することを防ぐ場合が多い。
【０００３】
この場合、例えばスイッチギアの操作盤側のキュービクル（筐体）に備えられた２個のフックに、ビニールシートの角の孔部を引っ掛けてビニールシートの一端を固定する。このビニールシートの一端に対峙する他端を固定して当該ビニールシートをスイッチギアの作業範囲に展開する場合、例えば、当該ビニールシートの他端を近くの外柵などにロープで固定する。このビニールシートを固定する為の外柵が近くにない場合、地中に杭を打って固定し、当該杭にロープでビニールシートの他端を固定して当該ビニールシートをスイッチギアの作業範囲に展開する。このようにして、第１のテントを設置する。
【０００４】
また、機器の点検作業をする際に、市販のテント（第２のテント）を使用する場合もある。例えば、このテントは、４本の支柱と、これらの支柱を補強する補強部材と、シートから構成される。補強部材は、例えば、支柱同士を所定の間隔で結合して骨組みを構成する棒状の部材などがある。この第２のテントによれば、補強部材で補強された４本の支柱によりシートを支える。
【０００５】
このような従来例に関連して、特許文献１には、雨除け機能付き配電盤が開示されている。この配電盤の雨除け機能によれば、掛具が、扉設置面の所定位置に突出・退避可能に設けられ、雨除け用シートが、突出したときの各掛具に掛け渡されて両側に垂らされ、扉設置面前方空間の上面と左右の各側面とを覆う。これにより、降雨時には、配電盤の扉を開けたときに雨が内部に降り込むのを防止し、晴天時には、掛具を扉設置面から退避できるというものである。
【０００６】
【特許文献１】特開平７−１１５７１３号公報（第３頁、第１図）
【発明の開示】
【発明が解決しようとする課題】
【０００７】
ところで、従来例に係る第１のテントによれば、スイッチギアの操作盤側のキュービクルに備えられたフックに、ビニールシートの角を引っ掛けて当該ビニールシートの一端を固定し、この他端を近くの外柵や、地中に打ち付けた杭などにロープで固定している。しかしながら、外柵や杭にビニールシートの他端を固定した場合、降雨がビニールシートの所定位置に溜り、当該ビニールシートが雨水の重みで弛むおそれがある。この弛んだ状態が続けば、雨水の重みにより、杭などに固定されたビニールシートが外れ、雨水がスイッチギアの電子機器に浸入するおそれがある。
【０００８】
また、第２のテントによれば、第１のテントと同様に降雨がビニールシートの所定位置に溜り、当該ビニールシートが雨水の重みで弛むおそれがある。また、支柱を４本設置すると共に当該支柱同士を補強部材で補強しているので、このテントを組み立てる工数が多くなる。
【０００９】
また、特許文献１に記載の雨除け機能付き配電盤によれば、雨除け用シートが、配電盤に前面に備えられた各掛具に掛け渡されて両側に垂らされ、扉設置面前方空間を覆っている。しかしながら、上述のテントと同じように、降雨が雨除け用シートの中央部に溜り、当該雨除け用シートの中央部が雨水の重みで弛むおそれがある。この弛んだ状態が続けば、雨水の重みにより、掛具に掛け渡された雨除け用シートが外れ、雨水が配電盤の電子機器に浸入するおそれがある。
【００１０】
そこで、本発明はこのような従来例に係る課題を解決したものであって、シートを凸状に形成できるようにすると共に、当該シートを支持する骨組みを容易に組み立てることができるようにした作業用補助具を提供することを目的とする。
【課題を解決するための手段】
【００１１】
上述した課題を解決するために、本発明に係る第１の作業用補助具は、機器の点検作業時に、補助的に当該機器の作業場所を確保するための作業用補助具であって、前記機器の作業場所の所定範囲を覆うシートと、前記シートの一辺を支持する第１及び第２の支持部材と、前記第１の支持部材に一端が係止され、伸縮かつ可撓性を有し、他端が地面に設置されて前記シートの一方の側端部を支持する第１の伸縮支持部材と、前記第２の支持部材に一端が係止され、伸縮かつ可撓性を有し、他端が地面に設置されて前記シートの他方の側端部を支持する第２の伸縮支持部材と、前記第１及び第２の伸縮支持部材を収納する収納箱とを備え、前記第１及び第２の伸縮支持部材は、前記収納箱の所定位置に一端が回転自在に取り付けられ、他端が前記収納箱から出し入れされる回転腕部と、前記回転腕部の先端に回転自在に取付けられた姿勢維持部材と、前記姿勢維持部材に取り付けられ、伸縮かつ可撓性を有した、一列の格子形状の伸縮部材とを有し、前記姿勢維持部材は、前記伸縮部材の姿勢を一定に維持しながら、前記回転腕部の回転と共に回転することを特徴とするものである。
また、本発明に係る第２の作業用補助具は、機器の点検作業時に、補助的に当該機器の作業場所を確保するための作業用補助具であって、前記機器の作業場所の所定範囲を覆うシートと、前記シートの一辺を支持する第１及び第２の支持部材と、前記第１の支持部材に一端が係止され、伸縮かつ可撓性を有し、他端が地面に設置されて前記シートの一方の側端部を支持する第１の伸縮支持部材と、前記第２の支持部材に一端が係止され、伸縮かつ可撓性を有し、他端が地面に設置されて前記シートの他方の側端部を支持する第２の伸縮支持部材と、前記第１及び第２の伸縮支持部材を収納する収納箱とを備え、前記第１及び第２の伸縮支持部材は、前記収納箱の所定位置に滑動自在に取り付けられ、一端が前記収納箱から出し入れされる滑動腕部と、前記滑動腕部に滑動自在に取付けられた位置変更部材と、前記位置変更部材に取り付けられ、伸縮かつ可撓性を有した、一列の格子形状の伸縮部材とを有し、前記位置変更部材は、前記滑動腕部が滑動すると共に所定方向に滑動して前記伸縮部材の位置を変更することを特徴とするものである。
【００１２】
本発明に係る第１の作業用補助具によれば、機器の点検作業時に、補助的に当該機器の作業場所を確保する場合であって、第１及び第２の支持部材は、機器の作業場所の所定範囲を覆うシートの一辺を支持する。第１の伸縮支持部材は、上述の第１の支持部材に一端が係止され、伸縮かつ可撓性を有し、他端が地面に設置されてシートの一方の側端部を支持する。第２の伸縮支持部材は、第２の支持部材に一端が係止され、伸縮かつ可撓性を有し、他端が地面に設置されてシートの他方の側端部を支持する。これにより、円弧状に撓んで展開された２本の伸縮支持部材によりシートを凸状に形成できるようになると共に、当該シートを支持する骨組みを容易に組み立てることができるようになる。
【００１３】
上述した課題を解決するために、本発明に係る第２の作業用補助具は、少なくとも二個の引掛け部を有した機器の点検作業時に、補助的に当該機器の作業場所を確保するための作業用補助具であって、前記機器の作業場所の所定範囲を覆うシートと、前記機器の引っ掛部に一端が係止され、伸縮かつ可撓性を有し、他端が地面に設置されて前記シートの一方の側端部を支持する第１の伸縮支持部材と、前記第１の伸縮支持部材が係止された前記引っ掛部とは異なる引っ掛部に一端が係止され、伸縮かつ可撓性を有し、他端が地面に設置されて前記シートの他方の側端部を支持する第２の伸縮支持部材と、前記第１及び第２の伸縮支持部材を収納する収納箱とを備え、前記第１及び第２の伸縮支持部材は、前記収納箱の所定位置に一端が回転自在に取り付けられ、他端が前記収納箱から出し入れされる回転腕部と、前記回転腕部の先端に回転自在に取付けられた姿勢維持部材と、前記姿勢維持部材に取り付けられ、伸縮かつ可撓性を有した、一列の格子形状の伸縮部材とを有し、前記姿勢維持部材は、前記伸縮部材の姿勢を一定に維持しながら、前記回転腕部の回転と共に回転することを特徴とするものである。
【００１４】
本発明に係る第２の作業用補助具によれば、少なくとも二個の引掛け部を有した機器の点検作業時に、補助的に当該機器の作業場所を確保する場合であって、シートは、機器の作業場所の所定範囲を覆う。第１の伸縮支持部材は、機器の引っ掛部に一端が係止され、伸縮かつ可撓性を有し、他端が地面に設置されてシートの一方の側端部を支持する。第２の伸縮支持部材は、第１の伸縮支持部材が係止された引っ掛部とは異なる引っ掛部に一端が係止され、伸縮かつ可撓性を有し、他端が地面に設置されてシートの他方の側端部を支持する。これにより、円弧状に撓んで展開された２本の伸縮支持部材によりシートを凸状に形成できるようになると共に、当該シートを支持する骨組みを容易に組み立てることができるようになる。
【発明の効果】
【００１５】
本発明に係る第１の作業用補助具によれば、機器の点検作業時に、補助的に当該機器の作業場所を確保する場合であって、伸縮かつ可撓性を有した第１及び第２の伸縮支持部材を備え、これらの伸縮支持部材は、機器の作業場所の所定範囲を覆うシートの両側端部を支持するものである。
【００１６】
この構成によって、円弧状に撓んで展開された伸縮支持部材によりシートを持ち上げて、当該シートを凸状に形成できる。これにより、凸状に形成されたシートに雨や塵などが溜らないので、伸縮支持部材に余計な力が加わらず、当該シートを長時間に渡って安定できる。しかも、伸縮支持部材は伸縮かつ可撓性を有しているので、組み立て時に位置決めに融通が利き、容易に組み立てることができる。また、伸縮支持部材を収縮することにより、運搬可能な作業用補助具を提供できるようになる。
【００１７】
本発明に係る第２の作業用補助具によれば、少なくとも二個の引掛け部を有した機器の点検作業時に、補助的に当該機器の作業場所を確保する場合であって、機器の引っ掛部の各々に一端が係止され、伸縮かつ可撓性を有した第１及び第２の伸縮支持部材を備え、これらの伸縮支持部材は、機器の作業場所の所定範囲を覆うシートの両側端部を支持するものである。
【００１８】
この構成によって、円弧状に撓んで展開された伸縮支持部材によりシートを持ち上げて、当該シートを凸状に形成できる。これにより、凸状に形成されたシートに雨や塵などが溜らないので、伸縮支持部材に余計な力が加わらず、当該シートを長時間に渡って安定できる。しかも、機器の引掛け部に伸縮支持部材の一端が係止されるので、部品数を少なくできる。
【発明を実施するための最良の形態】
【００１９】
続いて、本発明に係る作業用補助具について、図面を参照しながら説明をする。
【実施例１】
【００２０】
図１は、本発明に係る第１の実施例としてのテント１００の構成例を示す斜視図である。図１に示すテント１００は、例えば遮断器や断路器などの操作箱などの機器の点検作業時に、補助的に当該機器の作業場所を確保するために設置される。
【００２１】
テント１００は、シート１、支柱２ａ、２ｂ、伸縮支持部材３、４、収納ボックス５を備えて構成される。支柱２ａ、２ｂは第１及び第２の支持部材の一例を構成し、シート１の一辺を支持する。支柱２ａと支柱２ｂは同様の構成であり、支持台２ｃ、連結棒２ｄ〜２ｆ、締付部材２ｇ、２ｈ及びフック２ｉを有して構成される。この例で、支持台２ｃは中央に開口部２ｊを有する。この開口部２ｊに、連結棒２ｄの一端がネジ締めなどにより結合される。連結棒２ｄの他端には、連結棒２ｅの一端が締付部材２ｇにより結合される。例えば、連結棒２ｄの他端に連結棒２ｅの一端が挿入され、挿入後に、この連結棒２ｄ及び２ｅの連結部が、締付部材２ｇのネジ締めなどにより締め付けられて結合される。同様にして、連結棒２ｅと連結棒２ｆが、締付部材２ｈにより締め付けられて結合される。この連結棒２ｆの先端（支柱２ａの先端）には、「Ｌ」形状のフック２ｉが取り付けられる。このフック２ｉには、シート１及び伸縮支持部材３が引っ掛けられる。
【００２２】
伸縮支持部材３は第１の伸縮支持部材の一例を構成し、回転腕部の一例として機能するアーム３ａ及び伸縮部材３ｂから構成される。この伸縮部材３ｂの一端は支柱２ａのフック２ｉに係止され、この伸縮部材３ｂの他端はアーム３ａの先端に固定される。伸縮部材３ｂは一列の格子形状（パンタグラフ形状）を有し、伸縮かつ可撓性を有してシート１の一方の側端部１ｓを支持する。例えば、格子状の伸縮部材３ｂは、各格子の面をシート１の側端部１ｓに当接して、当該シート１を支持する。
【００２３】
もう一方の伸縮支持部材４は第２の伸縮支持部材の一例を構成し、回転腕部の一例として機能するアーム４ａ及び伸縮部材４ｂから構成される。この伸縮部材４ｂの一端は支柱２ｂのフック２ｉに係止され、この伸縮部材４ｂの他端はアーム４ａの先端に固定される。伸縮部材４ｂは、一列の格子形状を有し、伸縮かつ可撓性を有してシート１の他方の側端部１ｔを支持する。例えば、格子状の伸縮部材４ｂは、各格子の面をシート１の側端部１ｔに当接して、当該シート１を支持する。
【００２４】
アーム４ａ、４ｂは、収納ボックス５の取付け金具５ａ、５ｂに一端が回転自在に取り付けられ、他端が収納ボックス５から出し入れされる。収納ボックス５は地面に設置される。また、収納ボックス５は、伸縮支持部材３，４を収納する。
【００２５】
シート１は、２本の姿勢棒１ａ、１ｂ、２個の孔部１ｃ、１ｄ及びシート本体１ｐから構成される。シート１は、機器の作業場所の所定範囲を覆う。シート１のシート本体１ｐは四角形の形状であり、当該シート本体１ｐの一辺には、姿勢棒１ａが取り付けられ、この一辺に対峙する一辺には、姿勢棒１ｂが取り付けられる。姿勢棒１ａが取り付けられたシート本体１ｐの一辺には、所定の間隔を有して孔部１ｃ、１ｄが設けられる。この孔部１ｃには、支柱２ａのフック２ｉが通されて引っ掛けられる。また、孔部１ｄには、支柱２ｂのフック２ｉが通されて引っ掛けられる。
【００２６】
支柱２ａ、２ｂのフック２ｉにシート本体１ｐの姿勢棒１ａが引っ掛けられた状態で、シート本体１ｐが、伸縮支持部材３、４の伸縮部材３ｂ、４ｂに被せられる。このように、テント１００は構成される。なお、テント１００の縦と横と高さのサイズは、２００ｃｍ〜２５０ｃｍ程度である。すなわち、テント１００のアーム３ａから支柱２ａまでの距離、支柱２ａから支柱２ｂまでの距離、及び支柱２ａ、２ｂの高さが、２００ｃｍ〜２５０ｃｍ程度である。
【００２７】
図２は、収納ボックス５及び伸縮支持部材３、４の構成例を示す斜視図である。図２に示す収納ボックス５は、取付け金具５ａ、５ｂ、足部５ｃ、５ｄ、蓋部５ｅ及び収納部５ｆを備えて構成される。収納部５ｆの外部の底面には、足部５ｃ、５ｄが回転自在に取り付けられる。例えば、足部５ｃ、５ｄの中心部と収納部５ｆの底面とがピン５ｇで係合される。テント１００を設置する場合、足部５ｃ、５ｄは、収納部５ｆの長手方向に対して垂直方向を向くように回転されて設定される。これにより、収納部５ｆの底面の接地面積が増加するので、収納ボックス５が安定する。足部５ｃ、５ｄの形状は、例えば二股形状である。
【００２８】
収納部５ｆの内部の底面には、取付け金具５ａ、５ｂが取り付けられる。例えば、取付け金具５ａは、「Ｌ」字形状の板金である。この取付け金具５ａは、抵抗溶接（スポット溶接）により、一組の取付け金具５ａが所定の間隔を有して向き合った状態で、収納部５ｆの底面に取り付けられる。この取付け金具５ａの間には、伸縮支持部材３のアーム３ａの一端が係合される。この例で、アーム３ａの一端は図示しない孔部を有する。
【００２９】
また、取付け金具５ａも、収納部５ｆの底面に対して垂直に起き上がった垂直板５ｊに孔部を有する。アーム３ａの孔部と、取付け金具５ａの垂直板５ｊの孔部が、適合されてピン５ｋが挿通されてこのピン５ｋが抜け止めされる。このようにして、取付け金具５ａにより、アーム３ａを収納ボックス５の底面に回転自在に取り付ける。また、取付け金具５ｂも、取付け金具５ａと同じ「Ｌ」字形状の板金であり、収納部５ｆの底面に取り付けられ、この取付け金具５ｂの間には、アーム３ｂの一端が係合される。
【００３０】
蓋部５ｅは、収納部５ｆに蝶番５ｉを介して開閉自在に取り付けられる。蓋部５ｅの深さは、収納部５ｆの深さよりも深く設計される。これは、アーム３ａ、４ａの先端に取り付けられた伸縮部材３ｂ、４ｂ（図中は一部破砕）を収納するためである。このように、収納ボックス５は構成される。
【００３１】
また、アーム３ａ、４ａの先端には、回転自在に姿勢維持部材３ｃ、４ｃが取り付けられる。この例で、アーム３ａの先端は、円弧状に形成されると共に中央部が刳り貫かれて二股を成している。さらに、アーム３ａは、この二股を貫通する孔部（図示せず）を有する。また、姿勢維持部材３ｃの係合部３ｗは凸型に形成され、この凸型の係合部３ｗは孔部（図示せず）を有する。アーム３ａの二股に凸型の係合部３ｗが挿入され、アーム３ａの孔部と係合部３ｗの孔部が適合されてピン３ｆが挿通されてこのピン３ｆが抜け止めされる。このように取り付けると、姿勢維持部材３ｃは、ピン３ｆを回転軸にして、アーム３ａの先端の円弧に沿って回転する。姿勢維持部材３ｃの先端には、一列の格子形状の伸縮部材３ｂ（図中は一部破砕）が取り付けられる。また、伸縮支持部材４のアーム４ａの先端にも、アーム３ａと同様にして姿勢維持部材４ｃが取り付けられる。この姿勢維持部材４ｃの一端には、一列の格子形状の伸縮部材４ｂが取り付けられる。このように、収納ボックス５及び伸縮支持部材３、４は構成される。なお、アーム３ａ、４ａは、図中の展開された状態において、収納部５ｆの外枠５ｆ’により支持される。
【００３２】
図３Ａ及びＢは、収納ボックス５及び伸縮支持部材３、４の機能例を示す斜視図である。図３Ａに示す伸縮支持部材３、４のアーム３ａ、４ａは、図２に示した状態、すなわちアーム３ａ、４ａが展開された状態から、折り畳まれた状態へ移行したものである。この状態へ移行するためには、先ず、アーム３ａ、４ａの先端に取り付けられた格子状の伸縮部材３ｂ、４ｂ（図中は一部破砕）を縮めて畳む。次に、図２に示した展開されたアーム３ａを、取付け金具５ａに係合されたピン５ｋを回転軸にして、反時計回りに略１８０°回転する。
【００３３】
このとき、アーム３ａの先端に取り付けられた姿勢維持部材３ｃも同時に、ピン３ｆを回転軸にして、この姿勢維持部材３ｃの先端に取り付けられた伸縮部材３ｂの姿勢を一定に維持しながら、アーム３ａが回転すると共に回転する。例えば、姿勢維持部材３ｃは、伸縮部材３ｂが天井を向いた姿勢（水平姿勢）を維持するように回転する。アーム３ａを１８０°回転後、姿勢維持部材３ｃの先端に取り付けられた伸縮部材３ｂは、この水平姿勢を維持すると共に収納部５ｆの略中央に位置する。
【００３４】
また、アーム３ａと同様にして、図２に示した展開されたアーム４ａを、取付け金具５ｂに係合されたピン５ｋを回転軸にして、反時計回りに略１８０°回転する。このとき、アーム４ａの姿勢維持部材４ｃの先端に取り付けられた伸縮部材４ｂは、水平姿勢を維持すると共に収納部５ｆの略中央に位置する。
【００３５】
伸縮部材３ｂ、４ｂが中央に位置しているので、伸縮部材３ｂ、４ｂの端部が収納部５ｆの外枠５ｆ’からはみ出ることなく当該伸縮部材３ｂ、４ｂを収納できる。また、水平姿勢を維持しているので、蓋部５ｅを閉めた場合に、当該蓋部５ｅに伸縮部材３ｂ、４ｂがつかえることなく蓋部５ｅを閉めることができる。なお、蓋部５ｅを閉めた後、蓋部５ｅの前方に取り付けられたフック５ｍを、収納部５ｆのフック係合部（図示せず）に係合して、蓋部５ｅを収納部５ｆに固定する。
【００３６】
図３Ｂに示す収納ボックス５は、収納ボックス５の蓋部５ｅが蝶番５ｉを介して閉じられたものである。蓋部５ｅには、把持部５ｎが取り付けられる。この例で、図３Ａに示したようにアーム３ａ、４ａが折り畳まれた状態で蓋部５ｅが閉じられている。更に、収納部５ｆの長手方向に対して垂直方向を向くように回転されて設定された足部５ｃ、５ｄを、当該長手方向に対して平行な向きを向くように回転する。これにより、アーム３ａ、４ａ及び伸縮部材３ｂ、４ｂを有した伸縮支持部材３、４をコンパクトに収納できると共に、遮断器や断路器などの操作箱などの機器の点検作業時に、伸縮支持部材３、４が収納された収納ボックス５を、把持部５ｎを持って容易に持ち運びできる。また、伸縮支持部材４、５と収納ボックス５とを一体化しているので、保管スペースを狭くできる。
【００３７】
図４Ａ及びＢは、姿勢維持部材３ｃに取り付けられた伸縮部材３ｂの構成例を示す正面図である。図４に示す伸縮部材３ｂは、格子状に一列に組まれた部材であり、鉄線３ｅ、係合ピン３ｆ、ピアノ線（硬鋼線）３ｇ、ピン３ｈ及びリング３ｉを備えて構成される。
【００３８】
姿勢維持部材３ｃには、２本の鉄線３ｅの各一端が、係合ピン３ｆにより回転自在に係合される。姿勢維持部材３ｃに係合された２本の鉄線３ｅの各他端は、鉄線３ｅ’に係合ピン３ｆにより回転自在に係合される。また、２本の鉄線３ｅ’の略中心部が係合ピン３ｆにより回転自在に係合される。このように、この例で、鉄線３ｅが２本、鉄線３ｅ’が２本ほど伸縮部材３ｂの根本に設置されて格子状に組まれる。
【００３９】
各ピアノ線３ｇは、格子状に組まれた鉄線３ｅ、３ｅ’の上に格子状に組まれる。鉄線３ｅ’の一端とピアノ線３ｇの一端は、ピン３ｈにより回転自在に係合される。また、ピアノ線３ｇと、このピアノ線３ｇと交差するピアノ線３ｇの略中心部がピン３ｈにより回転自在に係合される。また、中心部がピン３ｈにより係合されたピアノ線３ｇの一端は、他のピアノ線３ｇの一端とピン３ｈにより回転自在に係合される。このようにして、１６本のピアノ線３ｇが格子状に組まれる。格子状に組まれたピアノ線３ｇの最上部には、このピアノ線３ｇの略半分の長さのピアノ線３ｇ’が、最上部のピアノ線３ｇにピン３ｈにより係合される。略半分の長さのピアノ線３ｇ’には、リング３ｉがピン３ｈにより係合される。このように、伸縮部材３ｂは、鉄線３ｅ、３ｅ’及びピアノ線３ｇ、３ｇ’が係合ピン３ｆ、ピン３ｈにより係合されて、格子状に組み立てられる。
【００４０】
なお、ピアノ線３ｇの線径は、３ｍｍ〜５ｍｍ程度である。鉄線３ｅ、３ｅ’は、ピアノ線３ｇよりも強固に成形される。これは、伸縮部材３ｂの根本に設置された鉄線３ｅ、３ｅ’が、伸縮部材３ｂの上方に設置されたピアノ線３ｇの荷重を支えるためである。鉄線３ｅ、３ｅ’の素材には、金属や樹脂などが使用される。
【００４１】
伸縮部材３ｂは、伸長された格子形状を維持するために、ロック機構３ｊを備える。このロック機構３ｊはストッパー３ｖ及び引掛け部３ｐから構成される。このストッパー３ｖは棒部材の一例として機能し、伸縮部材３ｂの鉄線３ｅの所定位置に取り付けられる。例えば、ストッパー３ｖは、長さ調整可能な棒状の部材であり、このストッパー３ｖの一端が、鉄線３ｅの所定位置に回転自在に取り付けられる。ストッパー３ｖの他端は、鉄線３ｅ’の引掛け部３ｐに係止される。
【００４２】
この引掛け部３ｐは受止め部の一例として機能し、ストッパー３ｖと向き合う位置の鉄線３ｅ’に取り付けられる。引掛け部３ｐはストッパー３ｖを受け止めて固定する。ロック機構３ｊは、ストッパー３ｖが回転されて引掛け部３ｐの所定位置に設定され、伸縮部材３ｂを所定の格子形状に固定すると共に当該伸縮部材３ｂの長さを維持する。
【００４３】
図４Ｂに示す伸縮部材３ｂは、鉄線３ｅ’の引掛け部３ｐに係止されたストッパー３ｖの他端が取り外されて、格子形状の伸縮部材３ｂが収縮した状態である。この状態で、伸縮部材３ｂは、図３に示した収納ボックス５に収納される。なお、図１に示したもう一方の伸縮部材４ｂは、図中の伸縮部材３ｂと同様の構成のため詳細な説明は省略する。
【００４４】
図５は、ロック機構３ｊの構成例（その１）を示す正面図である。図５に示すロック機構３ｊのストッパー３ｖは、連結棒３ｋ、３ｍ、ネジ３ｎ及びピン３ｒから構成される。この連結棒３ｍの後端部には、孔部が設けられる。この孔部に鉄線３ｅの係合部の孔部（図示せず）が適合された状態で、ピン３ｒが挿通されて抜け止めされる。これにより、連結棒３ｍが、鉄線３ｅに固定されると共に、ピン３ｒを回転軸にして回転するようになる。
【００４５】
連結棒３ｍには、連結棒３ｋが連結される。例えば、連結棒３ｍは筒状の棒であり、連結棒３ｍの径は連結棒３ｋの径よりも大きく設定される。大径の連結棒３ｍの内部に小径の連結棒３ｋを挿入してストッパー３ｖを所望の長さに設定する。設定後、ネジ３ｎを右回転して当該ネジ３ｎの先端を連結棒３ｋに当接する。当接された状態で、更にネジ３ｎを右回転して、連結棒３ｋと連結棒３ｍとを圧力により密着させて固定する。これにより、所望の長さに設定されたストッパー３ｖを形成できる。
【００４６】
ストッパー３ｖを形成後、ストッパー３ｖの先頭の連結棒３ｋの先端を、鉄線３ｅ’の引掛け部３ｐの所定位置に引っ掛けて固定する。これにより、図４Ａに示した格子形状を形成後、伸縮部材３ｂが、この伸縮部材３ｂの自重により収縮して図４Ｂに示した収縮形状に移行する動作を抑制することができる。
【００４７】
図６Ａ及びＢは、ロック機構３ｊの構成例（その２）を示す説明図である。図６Ａは、図５の矢印Ｘ１の方向から見た上面図である。図６Ｂは、図６Ａの矢印Ｘ２の方向から見た断面図である。図６Ｂに示すロック機構３ｊの引掛け部３ｐは、引掛板３ｓ及び底板３ｔから構成される。複数の引掛板３ｓは、底板３ｔに所定の角度（約４５°）を有した状態で、所定の間隔をあけて底板３ｔに溶接されて固定される。複数の引掛板３ｓが固定された底板３ｔは、鉄線３ｅ’の凹部３ｘにネジなどで固定される。鉄線３ｅ’に固定された底板３ｔの引掛板３ｓに、ストッパー３ｖの連結棒３ｋの先端が引っ掛けられる。
【００４８】
これにより、伸縮部材３ｂはロックされた状態となる（ロック機能）。従って、ストッパー３ｖの連結棒３ｋに矢印Ｐの方向に加わり、この連結棒３ｋが矢印Ｑの方向に移動する動作を止めることができる。これにより、図５で述べたように、伸縮部材３ｂの格子形状を形成後、ストッパー３ｖの連結棒３ｋを引掛板３ｓに引っ掛けることにより、伸縮部材３ｂが、この伸縮部材３ｂの自重により収縮して図４Ｂに示した収縮形状に移行する動作を抑制することができる。
【００４９】
図７Ａ及びＢは、ロック機構３ｊの機能例を示す正面図である。図７Ａ及びＢに示すロック機構３ｊは、上述したロック機能の他に、伸縮部材３ｂの全長を調整する長さ調整機能を有する。この長さ調整機能は、点検する機器の大きさに合わせて図１に示したシート１を展開する範囲を設定する場合に適用される。
【００５０】
この例で、図７Ａに示すロック機構３ｊのストッパー３ｖの連結棒３ｋは、図６Ｂに示した引掛け部３ｐの引掛板３ｓに引っ掛けられて固定された状態である（第１の状態）。このとき、鉄線３ｅ’と鉄線３ｅとが成す角度を角度θ１とする。また、ピン３ｆとピン３ｆ’との距離を距離Ｌ１とする。また、図４に示した各ピアノ線３ｇで形成する略ひし形の各格子も同様に角度θ１を成し、ピン３ｈとピン３ｈ’との距離も距離Ｌ１となる。
【００５１】
点検する機器のサイズが小さくて第１の状態よりも、伸縮部材３ｂの全長を短く調整する場合、ロック機構３ｊのストッパー３ｖの引っ掛ける位置を調整する。例えば、図７Ｂに示すロック機構３ｊのストッパー３ｖの連結棒３ｋは、図６Ｂに示した引掛板３ｓの下段に位置する引掛板３ｓ’に引っ掛けられて固定された状態である（第２の状態）。このとき、鉄線３ｅ’と鉄線３ｅとが成す角度を角度θ２とする。また、ピン３ｆとピン３ｆ’との距離を距離Ｌ２とする。また、図示しないが、各ピアノ線３ｇで形成する略ひし形の各格子も同様に角度θ２を成し、ピン３ｈとピン３ｈ’との距離も距離Ｌ２となる。
【００５２】
ここで、第１の状態と第２の状態を比較すると、鉄線３ｅ’と鉄線３ｅとが成す角度の関係は、角度θ１＞角度θ２となり、ピン３ｆとピン３ｆ’との距離は、距離Ｌ１＞距離Ｌ２となっている。また、図示しないが、ピアノ線３ｇとピアノ線３ｇとが成す角度の関係も、角度θ１＞角度θ２となり、ピン３ｈとピン３ｈ’との距離も、距離Ｌ１＞距離Ｌ２となる。すなわち、第２の状態の格子形状を構成する略ひし形の各格子は、第１の状態の格子形状の各格子が押しつぶされて形成され、伸縮部材３ｂの全長は短く調整される。これにより、伸縮部材３ｂの全長を短く調整することができる。
【００５３】
図８は、ピアノ線３ｇの構成例を示す一部破砕の斜視図である。図８に示すピアノ線３ｇの両端及び中央部には、平坦部３ｙ及び開口部３ｚが設けられる。例えば、平坦部３ｙは、断面円形のピアノ線３ｇの先端が、押しつぶされて形成される。開口部３ｚは、平坦部３ｙの略中央部に設けられる。
【００５４】
ピアノ線３ｇと他のピアノ線３ｇ’とを結合する場合、ピアノ線３ｇ、３ｇ’の平坦部３ｙを重ね合わせて平坦部３ｙの開口部３ｚの位置を適合する。適合後、この開口部３ｚにピン３ｈを挿通して、当該ピン３ｈの先端の凹部３０ａに抜け止め用のリング３０ｂを嵌合する。これにより、ピアノ線３ｇと他のピアノ線３ｇ’とがピン３ｈを回転軸として回転自在に結合される。
【００５５】
図９Ａ及びＢは、テント１００の使用例を示す斜視図である。この例で、遮断器や断路器などの操作箱５０の点検作業時に、降雨などに備えて補助的に作業場所を確保するためにテント１００を設置する。この例で、テント１００は、持ち運びや収納のために、分解されてコンパクトな形にされている。例えば、伸縮支持部材３、４は、図３Ｂに示したように収納ボックス５に収納されている。支柱２ａ、２ｂは、締付部材２ｇ、２ｈが取り外されて連結棒２ｄ〜２ｆが分離されている。シート１は、姿勢棒１ａを中心にしてロール状に巻かれている。なお、シート１から姿勢棒１ａ、１ｂを取り外して、当該シート１を折り畳むようにしてもよい。
【００５６】
図９Ａに示すテント１００は、テント１００の骨組みを完成した状態である。テント１００が分解されてコンパクトな形にされた状態から、図９Ａに示すように、テント１００の骨組みを完成するためには、先ず、作業者は、図９Ａに示す操作箱５０の両側に支柱２ａ、２ｂを設置する。例えば、作業者は、支柱２ａの連結棒２ｄの他端に連結棒２ｅの一端を挿入し、挿入後に、この連結棒２ｄ及び２ｅの連結部を、締付部材２ｇにより締め付けて結合する。この場合、操作箱５０の高さ、かつ、作業者の身長よりも高くなるように、支柱２ａ、２ｂの高さを調整する。
【００５７】
次に、作業者は、収納ボックス５を操作箱５０の前方に、図３Ｂに示した持ち運び状態で設置する。設置後、作業者は、収納ボックス５の足部５ｃ、５ｄを収納部５ｆの長手方向に対して垂直方向を向くように回転して設定し、収納ボックス５を地面に安定して設置する。その後、作業者は、収納ボックス５の蓋部５ｅのフック５ｍを解除して、当該蓋部５ｅを開く。作業者は、蓋部５ｅを開いた後、シート１を支持する伸縮支持部材３、４を設置する。
【００５８】
この例で、作業者は、図３Ａに示した折り畳まれた状態の伸縮支持部材３のアーム３ａを展開する。例えば、作業者は、取付け金具５ａに係合されたピン５ｋ（図３Ａ参照）を回転軸にして、アーム３ａを時計回りに略１８０°回転する。このとき、アーム３ａの先端に取り付けられた姿勢維持部材３ｃも同時にピン３ｆ（図３Ａ参照）を回転軸にして、姿勢維持部材３ｃの先端に取り付けられた伸縮部材３ｂが天井を向いた姿勢（水平姿勢）を維持するように回転する。
【００５９】
回転後、作業者は、姿勢維持部材３ｃの先端に取り付けられた伸縮部材３ｂ（図４Ｂ参照）を伸ばすと共に湾曲させて格子形状を形成し、当該伸縮部材３ｂの先端のリング３ｉを、所定の高さに設置した支柱２ａの先端のフック２ｉに引っ掛けて固定する。リング３ｉを支柱２ａのフック２ｉに固定した後、作業者は、図５に示したロック機構３ｊのストッパー３ｖを引掛け部３ｐに引っ掛けて固定する。これにより、格子形状に形成された伸縮部材３ｂの格子形状を維持できると共に、伸縮部材３ｂの長さを一定に維持できる。従って、伸縮支持部材３が安定する。このようにして、伸縮支持部材３を設置する。
【００６０】
同様にして、作業者は、もう一方の伸縮支持部材４を設置する。例えば、作業者は、伸縮支持部材４のアーム４ａを展開し、当該アーム４ａの先端に取り付けられた伸縮部材４ｂを伸ばして支柱２ｂに固定する。これにより、図９Ａに示すように、シート１を凸状に張るための骨組みが完成する。
【００６１】
図９Ｂに示すテント１００は、図９Ａに示したテント１００の骨組みにシート１を張り、当該テント１００の組み立てを完成した状態である。このように、テント１００の骨組みにシート１を張るためには、先ず、作業者は、姿勢棒１ａを中心にしてロール状に巻かれたシート１の孔部１ｃ、１ｄを、支柱２ａ、２ｂのフック２ｉに引っ掛ける。引っ掛けた後、作業者は、ロール状に巻かれたシート１を、伸縮支持部材３、４の伸縮部材３ｂ、４ｂの上を転がしながら展開する。シート１は、伸縮支持部材３、４に支持された状態で、湾曲された伸縮部材３ｂ、４ｂの形状に沿って凸状の曲線を描きながら垂れ下がる。このようにして、テント１００の骨組みにシート１を張り、当該テント１００を組み立てる。
【００６２】
このように、本発明に係る第１の実施例としてのテント１００によれば、操作箱５０の点検作業時に、補助的に当該操作箱５０の作業場所を確保する場合であって、伸縮かつ可撓性を有した伸縮支持部材３、４を備え、これらの伸縮支持部材３，４は、操作箱５０の作業場所の所定範囲を覆うシート１の両側端部１ｓ、１ｔを支持するものである。
【００６３】
従って、円弧状に撓んで展開された伸縮支持部材３，４の伸縮部材３ｂ、４ｂによりシート１を持ち上げて、当該シート１を凸状に形成できる。これにより、凸状に形成されたシート１に雨や塵などが溜らないので、伸縮支持部材３，４に余計な力が加わらず、当該シート１を長時間に渡って安定できる。しかも、伸縮支持部材３，４は伸縮かつ可撓性を有しているので、組み立て時に位置決めに融通が利き、容易に組み立てることができる。また、伸縮支持部材３，４を収縮することにより、運搬可能なテント１００を提供できるようになる。
【００６４】
なお、操作箱５０の点検作業が終了し、組み立てたテント１００を分解する場合は、組み立てた順番と反対の順番でテント１００を分解する。すなわち、作業者は、伸縮支持部材３，４の伸縮部材３ｂ、４ｂ上に展開されたシート１を、一旦伸縮部材３ｂ、４ｂ上から取り外す。その後、作業者は、展開されたシート１の姿勢棒１ｂを芯にして、姿勢棒１ａに向かって当該シート１を巻いてロール状に形成する。その後、作業者は、図５に示したロック機構３ｊの引掛け部３ｐに引っ掛けられたストッパー３ｖを解除する。解除後、作業者は、支柱２ａ、２ｂの先端のフック２ｉに固定されたリング３ｉを取り外して、湾曲されて格子形状に形成された伸縮部材３ｂ、４ｂを縮めて畳む。
【００６５】
収縮後、伸縮部材３ｂ、４ｂを支持するアーム３ａ、４ａを、反時計回りに略１８０°回転する。このとき、アーム３ａ、４ｂの先端に取り付けられた姿勢維持部材３ｃ、４ｃも、同時にピン３ｆ（図３Ａ参照）を回転軸にして回転する。例えば、姿勢維持部材３ｃは、当該姿勢維持部材３ｃの先端に取り付けられた伸縮部材３ｂが天井を向いた姿勢（水平姿勢）を維持するように回転すると共に収納部５ｆの中央に位置する。これにより、伸縮部材３ｂ、４ｂ、アーム３ａ、４ａを収納ボックス５にコンパクトに収納できる。
【００６６】
その後、作業者は、収納ボックス５の蓋部５ｅを閉じて、この蓋部５ｅのフック５ｍを、収納ボックス５の収納部５ｆのフック係合部（図示せず）に係合して、蓋部５ｅを収納部５ｆに固定する。固定後、作業者は、収納部５ｆの長手方向に対して垂直方向を向くように回転されて設定された足部５ｃ、５ｄを、当該長手方向に対して平行な向きを向くように回転する（図３Ｂ参照）。その後、支柱２ａ、２ｂを分解する。このようにして、テント１００を分解してコンパクトにする。
【００６７】
なお、格子状の伸縮部材３ｂの替わりに、釣竿のような棒状の伸縮部材を用いることも考えられる。この場合、当該棒状の伸縮部材の根本を姿勢維持部材３ｃ、４ｃに取り付け、棒状の伸縮部材を伸ばして当該棒状の伸縮部材の先端を支柱２ａ、２ｂのフック２ｉに取り付ける。
【００６８】
また、格子状の伸縮部材３ｂ、４ｂは、各格子の面をシート１に当接して当該シート１を支持したが、当該伸縮部材３ｂ、４ｂの各格子の面を縦向き（垂直）にして、当該伸縮部材３ｂ、４ｂの各格子の角がシート１に立つように支持してもよい。伸縮部材３ｂ、４ｂの各格子の角がシート１に立つように支持すると湾曲し難くなるので、各格子の面をシート１に当接して当該シート１を支持する場合と比較して、シート１を支える強度が強くなる。
【００６９】
また、テント１００は、操作箱５０の点検作業以外にも、アウトドアの日除け用としても利用できる。
【実施例２】
【００７０】
続いて、本発明に係る第２の実施例としてのテント２００について説明する。図１０は、テント２００における収納ボックス５’及び伸縮支持部材３’、４’の構成例を示す斜視図である。第１の実施例に示したテント１００と同一の構成要素には同一の符号を付し、その詳細な説明は省略する。
【００７１】
図１０に示す収納ボックス５’は、足部５ｃ、５ｄ、蓋部５ｅ、収納部５ｆ及びレール５ｐ、５ｑ、を備えて構成される。収納部５ｆの外部の底面には、足部５ｃ、５ｄが回転自在に取り付けられる。蓋部５ｅは、収納部５ｆに蝶番５ｉを介して開閉自在に取り付けられる。収納ボックス５’の収納部５ｆの内部底面には、レール５ｐとレール５ｑが平行に取り付けられる。レール５ｐとレール５ｑの長さは等しく設定される。レール５ｐ、５ｂの係合部５ｒの形状は「Ｈ」形状である。
【００７２】
伸縮支持部材３’、４’は、アーム３ａ’、４ａ’、伸縮部材３ｂ、４ｂ及び位置変更部材３ｃ’、４ｃ’から構成される。伸縮支持部材３’のアーム３ａ’は滑動腕部の一例として機能し、レール５ｐの「Ｈ」形状の係合部５ｒの首部を掴むように、滑動（スライド）自在に取り付けられ、当該アーム３ａ’の一端が収納ボックス５’から出し入れされる。また、伸縮支持部材４’のアーム４ａ’は、レール５ｑの係合部５ｒにスライド自在に取り付けられ、当該アーム４ａ’の一端が収納ボックス５’から出し入れされる。
【００７３】
このアーム３ａ’、４ａ’には、位置変更部材３ｃ’、４ｃ’がスライド自在に取り付けられる。この例で、位置変更部材３ｃ’、４ｃ’の係合部５ｔの形状は「Ｈ」形状である。位置変更部材３ｃ’、４ｃ’は、この「Ｈ」形状の係合部５ｔが、アーム３ａ’、４ａ’の上面のスリット５ｓに挿入されてスライド自在に係合される。なお、スリット５ｓの範囲は、アーム３ａ’、４ａ’の先端部から後端部近傍までである。これは、位置変更部材３ｃ’が後端部から抜け出ることを防ぐためである。位置変更部材３ｃ’の先端には、伸縮部材３ｂ（図中一部破砕）が取り付けられる。位置変更部材４ｃ’の先端には、伸縮部材４ｂが取り付けられる。このように、収納ボックス５’及び伸縮支持部材３’、４’は構成される。
【００７４】
なお、アーム３ａ’、４ａ’がレール５ｐ、５ｂから抜けないようにする抜け止め機構を備えるようにしてもよい。例えば、レール５ｐの係合部５ｒの終端部に所定深さの開口部（図示せず）を設け、また、アーム３ａ’の終端部に自動起立型の爪部（図示せず）を設ける。アーム３ａ’が許容量を超えてスライドされると、アーム３ａ’の爪部が、レール５ｐの開口部を通過する際に、自動的に起立して開口部に引っ掛かってアーム３ａ’のスライドを停止する。これにより、アーム３ａ’がレール５ｐから抜けないようにできる。
【００７５】
図１１Ａ及びＢは、収納ボックス５’及び伸縮支持部材３’、４’の機能例を示す斜視図である。図１１Ａに示す伸縮支持部材３’、４’のアーム３ａ’、４ａ’は、図１０に示した状態、すなわちアーム３ａ’、４ａ’が伸長方向にスライドされた状態から、収縮方向にスライドされて収納された状態へ移行したものである。この状態へ移行するためには、先ず、アーム３ａ’、４ａ’の先端に取り付けられた格子状の伸縮部材３ｂ、４ｂを縮めて畳む。次に、伸長方向にスライドされたアーム３ａ’を、収縮方向（収納部５ｆの内部方向）にスライドすると共に、アーム３ａ’の位置変更部材３ｃ’を当該アーム３ａ’の略中央部にスライドする。同様にして、伸長方向にスライドされたアーム４ａ’を、収縮方向にスライドすると共に、アーム４ａ’の位置変更部材４ｃ’を当該アーム４ａ’の略中央部にスライドする。
【００７６】
これにより、アーム３ａ’、４ａ’が収納部５ｆの内部に収まると共に、位置変更部材３ｃ’、４ｃ’に取り付けられた伸縮部材３ｂ、４ｂの位置が中央に変更するので、伸縮部材３ｂ、４ｂの端部が収納部５ｆの外枠５ｆ’からはみ出ることなく当該伸縮部材３ｂ、４ｂを収納できる。また、伸縮部材３ｂ、４ｂが水平姿勢を維持しているので、蓋部５ｅを閉めた場合に、当該蓋部５ｅにこの伸縮部材３ｂ、４ｂがつかえることなく蓋部５ｅを閉めることができる。
【００７７】
図１１Ｂに示す収納ボックス５’は、収納ボックス５’の蓋部５ｅが蝶番５ｉを介して閉じられたものである。蓋部５ｅには、把持部５ｎが取り付けられる。この例で、図１１Ａに示したようにアーム３ａ’、４ａ’が折り畳まれた状態で蓋部５ｅが閉じられている。更に、収納部５ｆの長手方向に対して垂直方向を向くように回転されて設定された足部５ｃ、５ｄを、当該長手方向に対して平行な向きを向くように回転する。
【００７８】
このように、本発明に係る第２の実施例としてのテント２００の収納ボックス５’及び伸縮支持部材３’、４’によれば、伸縮部材３ｂ、４ｂを支持するアーム３ａ’、４ａ’がスライド自在に収納ボックス５’に収納されるものである。
【００７９】
従って、アーム３ａ’、４ａ’の長さを所望の長さに調整できる。これにより、テント２００の幅を、機器の大きさや作業場所の環境に合わせて正確に設定できる。
【実施例３】
【００８０】
続いて、本発明に係る第３の実施例としてのテント３００について説明する。図１２Ａ及びＢは、テント３００の構成及び使用例を示す斜視図である。第１の実施例に示したテント１００と同一の構成要素には同一の符号を付し、その詳細な説明は省略する。テント３００は、引掛け部の一例である少なくとも二個のフック６０ａ、６０ｂを有したスイッチギア６０の点検作業時に、補助的に作業場所を確保するために設置される。
【００８１】
テント３００は、シート１、伸縮支持部材３、４、収納ボックス５を備えて構成される。伸縮支持部材３は、スイッチギア６０のフック６０ａに一端が係止され、伸縮かつ可撓性を有し、他端が地面に設置されてシート１の一方の側端部１ｓを支持する。伸縮支持部材４は、伸縮支持部材３が係止されたフック６０ａとは異なるフック６０ｂに一端が係止され、伸縮かつ可撓性を有し、他端が地面に設置されてシート１の他方の側端部１ｔを支持する。
【００８２】
伸縮支持部材３は、アーム３ａ及び伸縮部材３ｂから構成される。伸縮部材３ｂの先端のリング３ｉ（図４Ａ参照）がフック６０ａに引っ掛けられて固定される。同様に、伸縮支持部材４は、アーム４ａ及び伸縮部材４ｂから構成される。伸縮部材４ｂの先端のリング３ｉがフック６０ｂに引っ掛けられて固定される。
【００８３】
伸縮部材３ｂ、４ｂのリング３ｉをフック６０ａ、６０ｂに固定後、図１２Ａに示したテント３００の骨組みにシート１を張り、当該テント３００を組み立てる。この例で、テント３００の伸縮支持部材３、４のリング３ｉが、スイッチギア６０のフック６０ａ、６０ｂに係止されて固定されるので、テント３００は、図９に示したテント１００の支柱２ａ、２ｂを必要としない。これにより、テント１００に比べてテント３００を構成する部品数を少なくできる。
【００８４】
図１３Ａ及びＢは、テント３００とスイッチギア６０との結合例を示す側面図である。図１３Ａに示す破線円内を拡大したものが図１３Ｂである。図１３Ｂに示すフック６０ａ、６０ｂの形状は略「Ｊ」形状である。フック６０ａ、６０ｂは、スイッチギア６０の前面側（操作側）に、フック６０ａ、６０ｂの円弧部６０ｃが上を向くように取付けられている。
【００８５】
このフック６０ａの円弧部６０ｃの先端から伸縮部材３ｂの先端のリング３ｉが挿入されて、当該伸縮部材３ｂがフック６０ａに固定される。同様に、もう一方のフック６０ｂの円弧部６０ｃの先端から伸縮部材４ｂの先端のリング３ｉが挿入されて、当該伸縮部材４ｂがフック６０ｂに固定される。また、フック６０ａ、６０ｂには、シート１の孔部１ｃ、１ｄが装着されて固定される。このように、テント３００とスイッチギア６０とが結合される。
【００８６】
図１２及び図１３を参照して説明したように、本発明に係る第３の実施例に係るテント３００によれば、少なくとも二個のフック６０ａ、６０ｂを有したスイッチギア６０の点検作業時に、補助的に当該スイッチギア６０の作業場所を確保する場合であって、スイッチギア６０のフック６０ａ、６０ｂに一端が係止され、伸縮かつ可撓性を有した伸縮支持部材３、４を備え、これらの伸縮支持部材３、４は、スイッチギア６０の作業場所の所定範囲を覆うシート１の両側端部を支持するものである。
【００８７】
従って、円弧状に撓んで展開された伸縮支持部材３、４によりシート１を持ち上げて、当該シート１を凸状に形成できる。これにより、凸状に形成されたシート１に雨や塵などが溜らないので、伸縮支持部材３、４に余計な力が加わらず、当該シート１を長時間に渡って安定できる。しかも、スイッチギア６０のフック６０ａ、６０ｂを利用して伸縮支持部材３、４の一端が係止されるので、部品数を少なくできる。
【産業上の利用可能性】
【００８８】
本発明は、遮断器や断路器、スイッチギアなどの機器の点検作業時に、補助的に当該機器の作業場所を確保するためのテントに適用して好適なものである。
【図面の簡単な説明】
【００８９】
【図１】本発明に係る第１の実施例としてのテント１００の構成例を示す斜視図である。
【図２】収納ボックス５及び伸縮支持部材３、４の構成例を示す斜視図である。
【図３】（Ａ）及び（Ｂ）は、収納ボックス５及び伸縮支持部材３、４の機能例を示す斜視図である。
【図４】（Ａ）及び（Ｂ）は、伸縮部材３ｂの構成例を示す正面図である。
【図５】ロック機構３ｊの構成例（その１）を示す正面図である。
【図６】（Ａ）及び（Ｂ）は、ロック機構３ｊの構成例（その２）を示す説明図である。
【図７】（Ａ）及び（Ｂ）は、ロック機構３ｊの機能例を示す正面図である。
【図８】ピアノ線３ｇの構成例を示す一部破砕の斜視図である。
【図９】（Ａ）及び（Ｂ）は、テント１００の使用例を示す斜視図である。
【図１０】収納ボックス５’及び伸縮支持部材３’、４’の構成例を示す斜視図である。
【図１１】（Ａ）及び（Ｂ）は、収納ボックス５’及び伸縮支持部材３’、４’の機能例を示す斜視図である。
【図１２】（Ａ）及び（Ｂ）は、テント３００の構成及び使用例を示す斜視図である。
【図１３】（Ａ）及び（Ｂ）は、テント３００とスイッチギア６０との結合例を示す側面図である。
【符号の説明】
【００９０】
１  シート
２ａ、２ｂ  支柱（第１及び第２の支持部材）
３、４  伸縮支持部材（第１及び第２の伸縮支持部材）
３ａ、４ａ  アーム（回転腕部）
３ａ’、４ａ’  アーム（滑動腕部）
３ｂ、４ｂ  伸縮部材
３ｃ、４ｃ  （姿勢維持部材）
３ｊ  ロック機構
３ｖ  ストッパー（棒部材）
３ｐ  引掛け部（受止め部）
５  収納ボックス（収納箱）
１００、２００、３００  テント（作業用補助具）
【図１】
0004901690.tif 000002
【図２】
0004901690.tif 000003
【図３】
0004901690.tif 000004
【図４】
0004901690.tif 000005
【図５】
0004901690.tif 000006
【図６】
0004901690.tif 000007
【図７】
0004901690.tif 000008
【図８】
0004901690.tif 000009
【図９】
0004901690.tif 000010
【図１０】
0004901690.tif 000011
【図１１】
0004901690.tif 000012
【図１２】
0004901690.tif 000013
【図１３】
0004901690.tif 000014